【手続補正書】
【提出日】平成19年12月18日(2007.12.18)
【手続補正１】
【補正対象書類名】特許請求の範囲
【補正対象項目名】全文
【補正方法】変更
【補正の内容】
【特許請求の範囲】
【請求項１】
互いに色が異なる第１色の光と第２色の光と第３色の光のうち第１色の光及び第２色の光は透過し第３色の光は反射することによってこれら三つの色光のうちの第１色の光と第３色の光を特定光路に導くダイクロイック面部と、
互いに直交する偏光方向を有する第１偏光光と第２偏光光のうち第１偏光光は透過し第２偏光光は反射する偏光ビームスプリッタ面部と、がクロスに配置されて成り、
前記偏光ビームスプリッタ面部にて第２偏光光の第２色の光が前記特定光路に導かれることを特徴とする光学素子。
【請求項２】
請求項１に記載の光学素子と、
各色光を出射する３つの独立した固体光源を有する光学系又は白色光源からの白色光を各色光に分離する光学系と、から成り、
各色光が前記光学素子によって前記特定光路に導かれ、且つ、第２色の光に関しては第２偏光光が利用され、他の二つの色光に関しては第１偏光光が利用されることを特徴とする照明装置。
【請求項３】
請求項２に記載の照明装置において、
前記特定光路上には、特定の一つ又は二つの色光だけについて、その偏光方向を９０°回転する狭波長帯偏光回転素子が設けられていることを特徴とする照明装置。
【請求項４】
請求項２に記載の照明装置のうち固体光源からなる照明装置を備える投写型映像表示装置であって、
前記照明装置の各固体光源をパルス発光駆動する手段と、
前記特定光路上で受け取った光の偏光方向を９０°回転させる機能状態と回転させない機能状態とが通電のＯＮ／ＯＦＦによって切り替わるスイッチング偏光回転素子と、
前記スイッチング偏光回転素子を経た光を受ける画像表示パネルと、
前記固体光源がパルス発光するタイミングに応じて前記スイッチング偏光回転素子をＯＮ／ＯＦＦさせることで全ての色光の偏光方向を同じに揃える手段と、
前記固体光源がパルス発光するタイミングに応じて前記画像表示パネルに各色用の映像信号を供給する手段と、
映像光を投写する投写手段と、
を備えたことを特徴とする投写型映像表示装置。
【請求項５】
請求項２に記載の照明装置のうち固体光源からなる照明装置を備える投写型映像表示装置であって、
前記照明装置の各固体光源をパルス発光駆動する手段と、
前記固体光源から出射される光を受け取る位置に設けられた入射側偏光板を備えない液晶型の画像表示パネルと、
第１偏光光が前記画像表示パネルに入射されるときには、出射側の偏光板に対して入射側の偏光方向がクロスする画像表示パネル用に生成した映像信号又は出射側の偏光板に対して入射側の偏光方向がパラレルである画像表示パネル用に生成した映像信号のどちらか一方の映像信号を前記画像表示パネルに供給する一方、第２偏光光が前記画像表示パネルに入射されるときには他方の映像信号を前記画像表示パネルに供給するパネル駆動手段と、
映像光を投写する投写手段と、
を備えたことを特徴とする投写型映像表示装置。
【請求項６】
請求項３に記載の照明装置のうち固体光源からなる照明装置を備える投写型映像表示装置であって、
前記照明装置の各固体光源をパルス発光駆動する手段と、
前記狭波長帯偏光回転素子を経た光を受け取る画像表示パネルと、
前記固体光源がパルス発光するタイミングに応じて前記画像表示パネルに各色用の映像信号を供給する手段と、
映像光を投写する投写手段と、
を備えたことを特徴とする投写型映像表示装置。
【請求項７】
３枚の画像表示パネルを備えた投写型映像表示装置において、
請求項１に記載の光学素子と、
前記光学素子の３つの光入射面にそれぞれ映像光を供給するように配置された各色用の前記画像表示パネルと、
各色光を出射する３つの独立した固体光源を有する光学系又は白色光源からの白色光を各色光に分離する光学系と、
映像光を投写する投写手段と、を備えて成り、
第２色の光用の画像表示パネルから出射される映像光は第２偏光光であり、他の二つの画像表示パネルから出射される映像光は第１偏光光であることを特徴とする投写型映像表示装置。
【請求項８】
請求項７に記載の投写型映像表示装置において、
前記特定光路上には、特定の一つ又は二つの色光だけについて、その偏光方向を９０°回転する狭波長帯偏光回転素子が設けられていることを特徴とする投写型映像表示装置。
【請求項９】
互いに色が異なる第１色の光と第２色の光と第３色の光のうち第１色の光及び第２色の光は透過し第３色の光は反射することによってこれら三つの色光のうちの第１色の光と第３色の光を特定光路に導くダイクロイック面部と、
互いに直交する偏光方向を有する第１偏光光と第２偏光光のうち第１偏光光は透過し第２偏光光は反射する偏光ビームスプリッタ面部と、がクロスに配置されて成り、
前記偏光ビームスプリッタ面部は第２色の光に対してのみ偏光ビームスプリッタとして機能することで第２偏光光の第２色の光を前記特定光路に導くともに前記第１色の光及び第３色の光は第２偏光光であっても当該偏光ビームスプリッタ面部を透過して前記特定光路に進むことを特徴とする光学素子。
【請求項１０】
請求項９に記載の光学素子と、
各色光を出射する３つの独立した固体光源を有する光学系又は白色光源からの白色光を各色光に分離する光学系と、から成り、
各色光が前記光学素子によって前記特定光路に導かれ、且つ、第２色の光に関しては第２偏光光が利用され、他の二つの色光に関しても第２偏光光が利用されることを特徴とする照明装置。
【請求項１１】
請求項１０に記載の照明装置のうち固体光源からなる照明装置を備える投写型映像表示装置であって、
前記照明装置の各固体光源をパルス発光駆動する手段と、
前記特定光路上に設けられた画像表示パネルと、
前記固体光源がパルス発光するタイミングに応じて前記画像表示パネルに各色用の映像信号を供給する手段と、
映像光を投写する投写手段と、
を備えたことを特徴とする投写型映像表示装置。
【請求項１２】
３枚の画像表示パネルを備えた投写型映像表示装置において、
請求項９に記載の光学素子と、
前記光学素子の３つの光入射面にそれぞれ映像光を供給するように配置された各色用の前記画像表示パネルと、
各色光を出射する３つの独立した固体光源を有する光学系又は白色光源からの白色光を各色光に分離する光学系と、映像光を投写する投写手段と、を備えて成り、
前記３枚の画像表示パネルから出射される映像光は全て第２偏光光であることを特徴とする投写型映像表示装置。
【請求項１３】
請求項７又は１２に記載の投写型映像表示装置において、
前記光学素子の中央側の光入射面に光を供給する光学系は、前記固体光源からの光を９０°光路変更する光路変更素子を備えていることを特徴とする投写型映像表示装置。
【請求項１４】
請求項７又は１２に記載の投写型映像表示装置において、
前記光学素子の中央側の光入射面に赤色光を供給し、左右の光入射面に緑色光と青色光をそれぞれ供給することを特徴とする投写型映像表示装置。
【手続補正２】
【補正対象書類名】明細書
【補正対象項目名】０００２
【補正方法】変更
【補正の内容】
【０００２】
光の波長の相違を利用して光を合成する光学素子として、クロスダイクロイックプリズムやクロスダイクロイックミラーなどが知られている。また、光の偏光の相違を利用して光を合成する光学素子として、偏光ビームスプリッタが知られている。そして、これらクロスダイクロイックプリズムや偏光ビームスプリッタを用いた投写型映像表示装置が知られている。また、所定の波長に対する選択性を有する偏光分離面を備え、特定の波長帯のｓ偏光光を反射させ、他の波長帯のｐ偏光光やｓ偏光光を透過させる偏光分離面を備えて光を合成する色分離合成素子が提案されている（特許文献１参照）。
【手続補正３】
【補正対象書類名】明細書
【補正対象項目名】０００９
【補正方法】変更
【補正の内容】
【０００９】
また、この発明の光学素子は、互いに色が異なる第１色の光と第２色の光と第３色の光のうち第１色の光及び第２色の光は透過し第３色の光は反射することによってこれら三つの色光のうちの第１色の光と第３色の光を特定光路に導くダイクロイック面部と、互いに直交する偏光方向を有する第１偏光光と第２偏光光のうち第１偏光光は透過し第２偏光光は反射する偏光ビームスプリッタ面部と、がクロスに配置されて成り、前記偏光ビームスプリッタ面部は第２色の光に対してのみ偏光ビームスプリッタとして機能することで第２偏光光の第２色の光を前記特定光路に導くともに前記第１色の光及び第３色の光は第２偏光光であっても当該偏光ビームスプリッタ面部を透過して前記特定光路に進むことを特徴とする（以下、この項において第２光学素子という）。
【手続補正４】
【補正対象書類名】明細書
【補正対象項目名】００２２
【補正方法】変更
【補正の内容】
【００２２】
また、この発明の投写型映像表示装置は、３枚の画像表示パネルを備えた投写型映像表示装置において、第２光学素子又はこれに従属する光学素子と、前記光学素子の３つの光入射面にそれぞれ映像光を供給するように配置された各色用の前記画像表示パネルと、各色光を出射する３つの独立した固体光源を有する光学系又は白色光源からの白色光を各色光に分離する光学系と、映像光を投写する投写手段と、を備えて成り、前記３枚の画像表示パネルから出射される映像光は全て第２偏光光であることを特徴とする。かかる投写型映像表示装置において、前記偏光ビームスプリッタ面部にて反射される映像光は緑色映像光であってもよい。また、各色光の偏光方向を同一方向化した上で各画像表示パネルに入射させるための偏光光学素子を備えていてもよい。